(57)【要約】【課題】移動体装置で視聴していた番組の続きをビデオレコーダにて再生したい。【解決手段】チューナ１２０は放送された番組を受信する。内蔵ＨＤＤ１１４は、受信した番組を録画する。リジュームデータ獲得部１５０は、内蔵ＨＤＤ１１４に録画した番組の再生を開始する際のポイントであって、かつ当該番組と同一の番組を再生した移動体装置において生成されたポイントを受けつける。リジュームポイントサーチ部１５４は、受けつけたポイントをもとに、内蔵ＨＤＤ１１４に録画した番組を再生するポイントを決定する。ＭＰＥＧ−ＴＳデコーダ１０６は、決定したポイントをもとに、前記記録部に録画した番組を再生する。【選択図】図５
2008131401.tif 000002
【特許請求の範囲】
【請求項１】
放送された番組を受信する受信部と、
前記受信部において受信した番組を再生する再生部と、
前記再生部において再生を完了した部分に含まれるポイントであって、かつ当該番組と同一の番組を録画した他の番組再生装置において番組の再生を開始する際のポイントを生成し、生成したポイントを出力する生成部と、
を備えることを特徴とする番組再生装置。
【請求項２】
放送された番組を受信する受信部と、
前記受信部において受信した番組を録画する記録部と、
前記記録部に録画した番組の再生を開始する際のポイントであって、かつ当該番組と同一の番組を再生した他の番組再生装置において生成されたポイントを受けつける受付部と、
前記受付部において受けつけたポイントをもとに、前記記録部に録画した番組を再生する再生部と、
を備えることを特徴とする番組再生装置。
【請求項３】
前記再生部は、前記受付部において受けつけたポイントに対応した番組が前記記録部に録画されていない場合に、当該番組を放送したチャンネルを再生の対象にすることを特徴とする請求項２に記載の番組再生装置。
【請求項４】
放送された番組を受信した後に再生する第１の番組再生装置と、
放送された番組を受信した後に記録する第２の番組再生装置とを備え、
前記第１の番組再生装置は、再生を完了した部分に含まれるポイントであって、かつ当該番組と同一の番組を録画した第２の番組再生装置において番組の再生を開始する際のポイントを生成し、
前記第２の番組再生装置は、第１の番組再生装置において生成されたポイントを受け、受けつけたポイントをもとに、録画した番組を再生することを特徴とする番組再生システム。
【発明の詳細な説明】
【技術分野】
【０００１】
本発明は番組再生機能に関し、特に放送された番組を再生する番組再生装置およびそれを利用した番組再生システムに関する。
【背景技術】
【０００２】
近年、動画等に対するデジタル圧縮技術の進歩に伴い、動画などのデジタルデータをメモリカードに記録して、再生する機器が実現されている。その際、音声等のデータは、番組ごとにひとつのファイルとして、メモリカードに記録される。また、メモリカードには、複数のファイルが記録される場合もある。このような場合に、各ファイルの再生を容易にするために、複数のコンテンツのそれぞれに対して、リジューム情報を記憶しておき、再生開始時に、各ファイルにおけるリジューム情報が表示される。ここで、リジューム情報とは、途中で再生を停止したコンテンツの停止位置の情報であり、具体的にはフレーム番号や時間情報などが含まれる（例えば、特許文献１参照。）。
【特許文献１】特開２００５−１４２６１０号公報
【発明の開示】
【発明が解決しようとする課題】
【０００３】
これまでのリジューム再生という概念は、背景技術のごとく、記録媒体に記録されたコンテンツに付帯しているものであった。近年、カーナビゲーション装置、携帯電話等の移動体装置が、テレビジョンチューナ備えている場合があり、これらの移動体装置では、テレビジョンの視聴が可能となっている。一方、家庭には、ＨＤＤ（Ｈａｒｄ  Ｄｉｓｋ  Ｄｒｉｖｅ）、ＤＶＤ（Ｄｉｇｉｔａｌ  Ｖｅｒｓａｔｉｌｅ  Ｄｉｓｋ）を記録媒体としたビデオレコーダが普及している。したがって、ビデオレコーダにおいて録画している番組を移動体装置にてユーザが視聴している場合に、移動体装置で視聴していた番組の続きを帰宅してから続けて視聴したいというニーズがある。その際、ユーザの利便性を考慮すると、既に視聴した部分は再生されない方が好ましい。
【０００４】
本発明はこうした状況に鑑みてなされたものであり、その目的は、移動体装置で視聴していた番組の続きをビデオレコーダにて再生する番組再生技術を提供することにある。
【課題を解決するための手段】
【０００５】
上記課題を解決するために、本発明のある態様の番組再生装置は、放送された番組を受信する受信部と、受信部において受信した番組を再生する再生部と、再生部において再生を完了した部分に含まれるポイントであって、かつ当該番組と同一の番組を録画した他の番組再生装置において番組の再生を開始する際のポイントを生成し、生成したポイントを出力する生成部と、を備える。
【０００６】
この態様によると、放送された番組を再生しながら、当該番組と同一の番組を録画した他の番組再生装置において番組の再生を開始する際のポイントを生成し、生成したポイントを出力するので、視聴していた番組の続きを他の番組再生装置にて再生できる。
【０００７】
本発明の別の態様もまた、番組再生装置である。この装置は、放送された番組を受信する受信部と、受信部において受信した番組を録画する記録部と、記録部に録画した番組の再生を開始する際のポイントであって、かつ当該番組と同一の番組を再生した他の番組再生装置において生成されたポイントを受けつける受付部と、受付部において受けつけたポイントをもとに、記録部に録画した番組を再生する再生部と、を備える。
【０００８】
この態様によると、録画した番組と同一の番組を再生した他の番組再生装置において生成されたポイントを受けつけるので、他の番組再生装置において視聴していた番組の続きを再生できる。
【０００９】
再生部は、受付部において受けつけたポイントに対応した番組が記録部に録画されていない場合に、当該番組を放送したチャンネルを再生の対象にしてもよい。この場合、ポイントに対応した番組が録画されていない場合であっても、何らかの番組を再生できる。
【００１０】
本発明のさらに別の態様は、番組再生システムである。この番組再生システムは、放送された番組を受信した後に再生する第１の番組再生装置と、放送された番組を受信した後に記録する第２の番組再生装置とを備える。第１の番組再生装置は、再生を完了した部分に含まれるポイントであって、かつ当該番組と同一の番組を録画した第２の番組再生装置において番組の再生を開始する際のポイントを生成し、第２の番組再生装置は、第１の番組再生装置において生成されたポイントを受け、受けつけたポイントをもとに、録画した番組を再生する。
【００１１】
この態様によると、第２の番組再生装置は、第１の番組再生装置において生成されたポイントを受けつけるので、第１の番組再生装置において視聴していた番組の続きを第２の番組再生装置にて再生できる。
【００１２】
なお、以上の構成要素の任意の組合せ、本発明の表現を方法、装置、システム、記録媒体、コンピュータプログラムなどの間で変換したものもまた、本発明の態様として有効である。
【発明の効果】
【００１３】
本発明によれば、移動体装置で視聴していた番組の続きをビデオレコーダにて再生できる。
【発明を実施するための最良の形態】
【００１４】
本発明を具体的に説明する前に、概要を述べる。本発明の実施例は、受信したテレビジョン放送の番組を再生する移動体装置と、受信したテレビジョン放送の番組を録画した後に再生するビデオレコーダによって構成される番組再生システムに関する。ユーザは、例えば自宅にビデオレコーダを設置し、当該ビデオレコーダによって所望の番組を録画する。一方、ユーザは、例えば、カーナビゲーション装置である移動体装置によって、外出中であっても、放送している番組を視聴する。番組の途中で移動体装置での視聴が中断された場合、ユーザは、帰宅後に、ビデオレコーダに録画した番組を視聴する。その際、既に視聴した部分を再び視聴することをユーザが望まない場合、移動体装置での視聴を中断したポイント（以下、「リジュームポイント」という）が簡単に検出される方が望ましい。そのため、本実施例に係る番組再生システムは、次の動作を実行する。
【００１５】
移動体装置は、番組の視聴が中断した時点において、リジュームポイントに関する情報（以下、「リジュームポイント情報」という）を作成する。当該情報には、リジュームポイントのほか、番組名などの番組を特定するための情報が含まれる。また、移動体装置は、生成した情報をリムーバブルＨＤＤユニットに出力する。ユーザは、帰宅後、リムーバブルＨＤＤユニットをビデオレコーダに挿入する。ビデオレコーダは、リムーバブルＨＤＤユニットから、リジュームポイント情報を抽出し、録画した番組をリジュームポイントから再生する。
【００１６】
図１は、本発明の実施例に係る番組再生システム８００の構成を示す。番組再生システム８００は、放送装置８１０、移動体装置８２０、ビデオレコーダ８３０を含む。
【００１７】
放送装置８１０は、番組を放送する。放送装置８１０は、任意の放送システムに対応すればよいが、ここでは、地上波ディジタルテレビジョン放送に対応するものとする。なお、地上波ディジタルテレビジョン放送に対応した放送装置８１０として、公知の技術が使用されればよいので、ここでは、詳細な説明を省略する。
【００１８】
移動体装置８２０は、例えば、カーナビゲーション装置、携帯電話端末であるが、これらに特有の機能に加えて、放送装置８１０から放送された番組を受信した後に再生する。なお、カーナビゲーション装置、携帯電話端末に特有の機能とは、例えば、ナビゲーション機能、通話機能に相当する。移動体装置８２０は、番組の再生を完了した部分に含まれるリジュームポイントを生成する。ここで、リジュームポイントとは、移動体装置８２０にて再生されてる番組と同一の番組を録画したビデオレコーダ８３０において、番組の再生を開始する際のタイミングに相当する。また、移動体装置８２０は、リジュームポイントが含まれたリジュームポイント情報を出力する。
【００１９】
ビデオレコーダ８３０は、前述のごとく、例えば、ユーザの自宅に設置されており、放送された番組を受信した後に記録する。また、ビデオレコーダ８３０は、移動体装置８２０からリジュームポイント情報を受けつけ、リジュームポイント情報に含まれたリジュームポイントから、録画した番組を再生する。
【００２０】
図２は、番組再生システム８００の番組再生の手順を示すシーケンス図である。放送装置８１０は、番組を放送する（Ｓ１０、Ｓ１２）。移動体装置８２０は、受信した番組を再生することによって、ユーザによる視聴を実行させる（Ｓ１４）。また、移動体装置８２０は、ユーザからの指示によって、番組の再生を中止する（Ｓ１６）。その際、移動体装置８２０は、リジュームポイント情報を生成する（Ｓ１８）。一方、ビデオレコーダ８３０は、受信した番組を録画する（Ｓ２０）。その後、録画が終了する（Ｓ２２）。移動体装置８２０は、リムーバブルＨＤＤ等にリジュームポイント情報を書き込むことによって、リジュームポイント情報をビデオレコーダ８３０に出力する（Ｓ２４）。ビデオレコーダ８３０は、受けつけたリジュームポイント情報をもとに、録画した番組を再生する（Ｓ２６）。
【００２１】
図３は、移動体装置８２０の構成を示す。移動体装置８２０は、ＧＰＳ（Ｇｌｏｂａｌ  Ｐｏｓｉｔｉｏｎｉｎｇ  Ｓｙｓｔｅｍ）受信機３００、ジャイロスコープ３０２、車速センサ３０４、位置検出器３０６、車載アンテナ３１８、チューナ３２０、伝送路復号部３２２、ＴＳ分離／選択部３２４、ＭＰＥＧ−ＴＳデコーダ３２６、Ｄ／Ａ３２８、番組情報検出部３３０、タイマ３３２、リモコン受光部３５０、システムコントローラ３５２、表示制御部３５４、表示装置３５６、リムーバブルＨＤＤ挿入口３５８、データバス３７０、リムーバブルＨＤＤユニット１８０を含む。
【００２２】
まず、移動体装置８２０がナビゲーション機能を実行する際の構成を説明する。ユーザが地図データの入ったリムーバブルＨＤＤユニット１８０をリムーバブルＨＤＤ挿入口３５８にセットし、図示しないリモートコントローラ（以下、「リモコン」という）でのナビゲーション開始ボタンを押すと、これに対応したコマンドをリモコン受光部３５０が受信し、以下の動作が開始される。
【００２３】
位置検出器３０６は、ＧＰＳ受信機３００、ジャイロスコープ３０２、車速センサ３０４から供給されるそれぞれのデータにより現在位置、進行方向、移動速度を検出する。ＧＰＳ受信機３００、ジャイロスコープ３０２、車速センサ３０４の構成として、公知の構成が使用されればよいので、ここでは説明を省略する。位置検出器３０６は、検出した現在位置、進行方向、移動速度をシステムコントローラ３５２に出力する。
【００２４】
システムコントローラ３５２は、位置検出器３０６によって検出された現在地を受けつけるとともに、リモコン受光部３５０において受けつけた目的地を受けつける。また、システムコントローラ３５２は、リムーバブルＨＤＤユニット１８０に挿入された地図情報を読み出し、地図情報を参照しながら、現在地から目的地への経路を検索する。経路の検索には、公知の技術が使用されればよいので、ここでは、説明を省略する。さらに、システムコントローラ３５２は、検索した経路や地図情報を表示制御部３５４経由で表示装置３５６に表示させる。
【００２５】
次に、移動体装置８２０が番組再生機能を実行する際の構成を説明する。ユーザが、図示しないリモコンでの視聴を押すと、これに対応したコマンドをリモコン受光部３５０が受信し、以下の動作が開始される。車載アンテナ３１８は、図示しない放送装置８１０によって放送された番組を受信する。前述のごとく、地上波ディジタルテレビジョン放送を対象としているので、受信した番組には、デジタル変調がなされている。チューナ３２０は、車載アンテナ３１８において受信した番組のうち、ユーザによって指示されたチャンネルの番組を抽出する。ここで、ユーザによる指示は、図示しないリモコンに入力され、リモコン受光部３５０が当該指示を受けつけるものとする。
【００２６】
伝送路復号部３２２は、チューナ３２０において抽出した番組を復号することによって、ＭＰＥＧ２によって符号化された映像音声データを生成する。このような映像音声データは、一般的にＴＳストリームと呼ばれる。ＴＳ分離／選択部３２４は、ＴＳストリームを映像データと音声データに分離するとともに、再生に必要なデータを選択する。ＭＰＥＧ−ＴＳデコーダ３２６は、ＴＳ分離／選択部３２４から映像データ等を受けつけ、復号することによって、受信した番組を再生する。さらに、ＭＰＥＧ−ＴＳデコーダ３２６において再生された番組は、Ｄ／Ａ３２８、表示制御部３５４を経由して、表示装置３５６に表示される。
【００２７】
タイマ３３２は、移動体装置８２０内部における時刻を計時する。タイマ３３２は、時刻の補正も実行する。地上波ディジタルテレビジョン放送においては、現在の日付、時刻を示す情報としてＴＯＴ（Ｔｉｍｅ  Ｏｆｆｓｅｔ  Ｔａｂｌｅ）がＭＰＥＧ−ＴＳストリームに多重化されており、タイマ３３２は、ＴＯＴを参照することによって時刻を設定する。時刻が一度設定された後、タイマ３３２は、ローカルなタイマとして動作し、必要に応じてＴＯＴにより補正を実行する。
【００２８】
システムコントローラ３５２は、番組のうち、ＭＰＥＧ−ＴＳデコーダ３２６において再生を完了した部分に含まれるリジュームポイントを生成する。当該リジュームポイントは、当該番組と同一の番組を録画した図示しないビデオレコーダ８３０において番組の再生を開始する際に使用される。また、システムコントローラ３５２は、リジュームポイントを含むようにリジュームポイント情報を生成する。システムコントローラ３５２は、データバス３７０、リムーバブルＨＤＤ挿入口３５８を介して、生成したリジュームポイント情報をリムーバブルＨＤＤユニット１８０に記録する。
【００２９】
図４は、システムコントローラ３５２において生成されるリジュームポイント情報のデータ構造を示す。図示のごとく、設定項目欄８５０、設定内容欄８５２が含まれる。設定項目欄８５０は、チャンネル番号、放送局名、放送日時、番組開始時間、番組終了時間、番組名、リジューム時間によって構成される。チャンネル番号、放送局名、番組開始時間、番組終了時間、番組名のフィールドは、番組情報検出部３３０によって検出され、設定内容欄８５２に入力される。また、リジューム時間は、前述のリジュームポイントに相当し、タイマ３３２によって検出され、設定内容欄８５２に入力される。この構造はあくまで例であり、少なくともリジュームされた番組のリジュームポイントが特定されるものであれば、どの様な構造のものであってもよい。
【００３０】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３１】
図５は、ビデオレコーダ８３０の構成を示す。ビデオレコーダ８３０は、リモコン受光部１００、システムコントローラ１０２、タイマ１０４、ＭＰＥＧ−ＴＳデコーダ１０６、Ｄ／Ａ１０８、表示装置１１０、バッファメモリ１１２、内蔵ＨＤＤ１１４、リムーバブルＨＤＤ挿入口１１６、アンテナ１１８、チューナ１２０、伝送路復号部１２２、ＴＳ分離／選択部１２４、番組情報検出部１２６、リジュームデータ獲得部１５０、番組データファイル検索・獲得部１５２、リジュームポイントサーチ部１５４、データバス１７０、リムーバブルＨＤＤユニット１８０を含む。
【００３２】
まず、ビデオレコーダ８３０が番組録画機能を実行する際の構成を説明する。アンテナ１１８は、図示しない放送装置８１０によって放送された番組を受信する。前述のごとく、地上波ディジタルテレビジョン放送を対象としているので、受信した番組には、デジタル変調がなされている。チューナ１２０は、アンテナ１１８において受信した番組のうち、ユーザによって指示されたチャンネルの番組を抽出する。ここで、ユーザによる指示は、図示しないリモコンに入力され、リモコン受光部１００が当該指示を受けつけるものとする。
【００３３】
伝送路復号部１２２は、チューナ１２０において抽出した番組を復号することによって、ＭＰＥＧ２によって符号化された映像音声データを生成する。このような映像音声データは、前述のごとく、一般的にＴＳストリームと呼ばれる。ＴＳ分離／選択部１２４は、ＴＳストリームを映像データと音声データに分離するとともに、再生に必要なデータを選択する。特に、ＴＳ分離／選択部１２４は、映像音声データを録画しない場合、映像音声データをＭＰＥＧ−ＴＳデコーダ１０６に出力する。一方、ＴＳ分離／選択部１２４は、映像音声データを録画する場合、映像音声データを内蔵ＨＤＤ１１４に蓄積する。ＭＰＥＧ−ＴＳデコーダ１０６は、ＴＳ分離／選択部１２４から映像データを受けつけ、復号することによって、受信した番組を再生する。さらに、ＭＰＥＧ−ＴＳデコーダ１０６において再生された番組は、Ｄ／Ａ１０８を経由して、表示装置１１０に表示される。
【００３４】
次に、ビデオレコーダ８３０が番組再生機能を実行する際の構成を説明する。なお、番組再生機能の前提として、ここでは、番組再生機能において使用されるデータであって、番組録画機能の実行中に作成されたデータを図６から図８を参照して説明する。図６は、内蔵ＨＤＤ１１４におけるディレクトリ／ファイルのデータ構造を示す。これは、番組の蓄積フォーマットに相当する。ルートディレクトリの下に番組ファイル管理ディレクトリ７００が配置されている。
【００３５】
また、番組ファイル管理ディレクトリ７００の下には、録画されている全番組ファイルを管理する録画番組管理ファイル７１０、第１番組ファイル７２０から第ｂ番組ファイル７４０、第１番組ファイルのタイムサーチファイル７３０から第ｂ番組ファイルのタイムサーチファイル７５０が格納されている。第１番組ファイル７２０から第ｂ番組ファイル７４０は、ＭＰＥＧ−ＴＳフォーマットによって記録されるので、ＭＰＥＧ−ＴＳの１パケット、つまり１８８バイトの倍数がファイル長に相当する。
【００３６】
図７は、録画番組管理ファイル７１０のデータ構造を示す。まず、総番組ファイル数（ＮＯＦ）が記録されている。ここで総数はｂであるとする。これに続いて、番組ファイル名（ＰＦ１〜ＰＦｂ）、番組ファイルのタイムサーチファイル名（ＰＦ１ＴＳ〜ＰＦｂＴＳ）、番組ファイルのメタ情報（ＰＭ１〜ＰＭｂ）が、総数ｂ個連続で並んでいる。
【００３７】
図８は、第１番組ファイルのタイムサーチファイル７３０のデータ構造を示す図である。なお、そのほかの番組についても、同様にタイムサーチファイルが構成されている。第１番組ファイルのタイムサーチファイル７３０は、ファイル先頭からの再生時間情報欄８５４、ファイル先頭からの再生位置情報欄８５６を含み、ファイル先頭からの再生時間とファイル先頭からの再生位置情報のペアを格納する。再生時間の間隔は、装置仕様となるが、０．５秒から１秒であれば十分と考えられる。ファイル先頭からの再生位置情報は、番組ファイルの蓄積方式に依存する。本実施例では番組ファイルはＭＰＥＧ−ＴＳフォーマットで記録されており、再生位置情報は１８８バイトの倍数となる。
【００３８】
図５に戻る。リムーバブルＨＤＤ挿入口１１６は、リムーバブルＨＤＤユニット１８０を挿入可能に構成されている。リムーバブルＨＤＤユニット１８０がリムーバブルＨＤＤ挿入口１１６に挿入されると、リジュームデータ獲得部１５０は、リムーバブルＨＤＤユニット１８０内のリジュームポイント情報、つまり図４に示された形式のリジュームポイント情報を獲得する。つまり、リジュームデータ獲得部１５０は、内蔵ＨＤＤ１１４に録画した番組の再生を開始する際のリジュームポイントであって、かつ当該番組と同一の番組を再生した図示しない移動体装置８２０において生成されたリジュームポイントを受けつける。
【００３９】
番組データファイル検索・獲得部１５２は、リジュームデータ獲得部１５０において獲得したリジュームポイント情報を手がかりに、内蔵ＨＤＤ１１４内に記録された番組を検索する。ここで、番組データファイル検索・獲得部１５２は、番組名をもとに検索を実行する。例えば、番組データファイル検索・獲得部１５２は、図４の設定内容欄８５２に含まれた番組名と同一の番組名を録画番組管理ファイル７１０から検索する。具体的には、図７の番組ファイル名あるいは番組ファイル名のメタ情報を参照しながら、検索がなされる。最終的に、番組データファイル検索・獲得部１５２は、検出された番組に対応した番組ファイルと番組ファイルのタイムサーチファイルとを獲得する。
【００４０】
なお、図示しない移動体装置８２０において番組を視聴した地域と、ビデオレコーダ８３０において番組を録画した地域が同一であれば、番組データファイル検索・獲得部１５２は、番組名ではなく、チャンネル番号をもとに検索を実行してもよい。その際、リジュームポイント情報と録画番組管理ファイル７１０とには、地域に関する情報が含まれており、番組データファイル検索・獲得部１５２は、両者の地域が一致する場合に、チャンネル番号の検索を実行する。
【００４１】
リジュームポイントサーチ部１５４は、番組データファイル検索・獲得部１５２において獲得した番組ファイルと番組ファイルのタイムサーチファイルのうち、後者を処理の対象とする。リジュームポイントサーチ部１５４は、図４に示されたリジュームポイント情報のうち、番組開始時間とリジューム時間から、番組が開始されてからのリジューム時間を導出する。具体的に、リジュームポイントサーチ部１５４は、リジューム時間から番組開始時間を減算する。
【００４２】
また、リジュームポイントサーチ部１５４は、番組ファイルのタイムサーチファイルを参照しながら、番組が開始されてからのリジューム時間に対応した再生位置情報を取得する。ここで、番組ファイルのタイムサーチファイルに含まれた再生時間情報と、番組が開始されてからのリジューム時間とが一致しない場合、番組が開始されてからのリジューム時間よりも前の再生時間情報が選択される。なお、補間処理によって、再生位置情報が導出されてもよい。
【００４３】
ＭＰＥＧ−ＴＳデコーダ１０６は、リジュームポイントサーチ部１５４において取得された再生位置情報から、番組ファイルの再生を開始する。つまり、ＭＰＥＧ−ＴＳデコーダ１０６は、図示しない移動体装置８２０から受けつけたリジュームポイントをもとに、内蔵ＨＤＤ１１４に録画した番組を再生する。
【００４４】
以上の構成による移動体装置８２０の動作を説明する。図９は、移動体装置８２０におけるリジュームポイントの設定手順を示すフローチャートである。図９は、図２の１４からステップ１８の処理に対応する。視聴が開始されなければ（Ｓ５０のＮ）、開始されるまで待機する。視聴が開始され（Ｓ５０のＹ）、システムコントローラ３５２が、リジュームポイントの設定を指示されれば（Ｓ５２のＹ）、タイマ３３２が現在時刻を獲得し、番組情報検出部３３０が現在放送中の番組を特定するメタデータを獲得する（Ｓ５４）。番組情報検出部３３０は、例えばＥＩＴ（Ｅｖｅｎｔ  Ｉｎｆｏｒｍａｔｉｏｎ  Ｔａｂｌｅ）等から情報を抽出する。
【００４５】
システムコントローラ３５２が、リジュームポイントの設定を指示されなければ（Ｓ５２のＮ）、ステップ５４をスキップする。視聴が継続されると（Ｓ５６のＹ）、ステップ５２に戻る。視聴が継続されなければ（Ｓ５６のＮ）、処理は終了される。なお、獲得したリジュームポイントは、リムーバブルＨＤＤユニット１８０に記録される。なお、リジュームポイントの設定指示は、ユーザが明示的に示してもよいし、チャンネルの切り替えポイントや、視聴を終了した時間などを機器が自動的にリジュームポイントと判断してもよい。またリジュームポイントは、ひとつとは限らず複数設定されてもよい。
【００４６】
以上の構成によるビデオレコーダ８３０の動作を説明する。図１０は、ビデオレコーダ８３０における番組録画手順を示すフローチャートである。図１０は、図２のステップ２０、２２の処理に対応する。録画の開始がなされなければ（Ｓ７０のＮ）、開始されるまで待機する。録画の開始がなされれば（Ｓ７０のＹ）、内蔵ＨＤＤ１１４は、番組ファイルｂ＋１を作成し、ＴＳ分離／選択部１２４から出力されたＭＰＥＧ−ＴＳフォーマットのストリームを上記ファイル名で終了時刻まで記録する（Ｓ７２）。また、内蔵ＨＤＤ１１４は、番組ファイル名ｂ＋１のタイムサーチファイルを作成し、０．５秒間隔でファイル先頭からの再生位置情報を獲得し、上記ファイルに記録することを終了時刻まで実行する（Ｓ７４）。内蔵ＨＤＤ１１４は、番組管理ファイルをアップデートする（Ｓ７６）。また、内蔵ＨＤＤ１１４は、総番組ファイル数をｂ＋１とし、ｂ＋１番目の番組ファイル名、ｂ＋１番目の番組ファイルのタイムサーチ用ファイル名を決め、対応した領域に書き込む（Ｓ７６）。さらに、内蔵ＨＤＤ１１４は、ｂ＋１番目の番組ファイルのメタ情報を番組情報検出部１２６より獲得し、書き込む（Ｓ７６）。
【００４７】
図１１は、ビデオレコーダ８３０における番組再生手順を示すフローチャートである。図１１は、図２のステップ２６の処理に対応する。リムーバブルＨＤＤ挿入口１１６にリムーバブルＨＤＤユニット１８０が装着されなければ（Ｓ１００のＮ）、装着されるまで待機する。リムーバブルＨＤＤ挿入口１１６にリムーバブルＨＤＤユニット１８０が装着されれば（Ｓ１００のＹ）、リジュームデータ獲得部１５０がリムーバブルＨＤＤユニット１８０内のリジュームポイント情報を獲得する（Ｓ１０２）。番組データファイル検索・獲得部１５２は、内蔵ＨＤＤ１１４内の番組データファイルからリジュームポイント情報に該当するファイルを検索する（Ｓ１０４）。
【００４８】
当該処理は、番組管理ファイルのメタ情報（ＰＭ１〜ＰＭｂ）とリジュームポイント情報との比較に相当する。番組データファイル検索・獲得部１５２が一致するファイルを獲得すれば（Ｓ１０６のＹ）、リジュームポイントサーチ部１５４は、番組情報ファイルの頭だしを実行する（Ｓ１０８）。これは、リジュームポイント情報のリジューム時間に一致するタイムサーチファイルの再生時間情報を獲得し、それに対応するファイル先頭位置からの再生位置情報を獲得して頭だしを行い、データをＭＰＥＧ−ＴＳデコーダ１０６に転送することに相当する。一方、番組データファイル検索・獲得部１５２が一致するファイルを獲得しなければ（Ｓ１０６のＮ）、ステップ１０８をスキップする。
【００４９】
以下に変形例を説明する。実施例において、移動体装置８２０は、カーナビゲーション装置であるとした。一方、変形例において、移動体装置８２０は、携帯電話端末装置であるとする。また、実施例において、リジュームポイント情報は、リムーバブルＨＤＤユニット１８０によって、移動体装置８２０からビデオレコーダ８３０に転送されている。一方、変形例において、リジュームポイント情報は、赤外線によって、移動体装置８２０からビデオレコーダ８３０に転送される。
【００５０】
図１２は、本発明の変形例に係る移動体装置８２０の構成を示す。移動体装置８２０は、通信制御部４００、スピーカ４０２、Ｄ／Ａ４０４、マイク４０６、Ａ／Ｄ４０８、アンテナ４１８、１セグチューナ４２０、伝送路復号部４２２、ＴＳ分離／選択部４２４、ＭＰＥＧ−ＴＳデコーダ４２６、Ｄ／Ａ４２８、番組情報検出部４３０、タイマ４３２、赤外線送信部４５０、システムコントローラ４５２、表示制御部４５４、表示装置４５６、フラッシュメモリ４５８、入力インターフェイス４６０、データバス４７０を含む。
【００５１】
まず、移動体装置８２０が通話機能を実行する際の構成を説明する。ユーザは、入力インターフェイス４６０によって、フラッシュメモリ４５８内に格納された電話帳から、所望の相手を検索し、登録された電話番号を獲得すると、通信制御部４００を介して、通信回線を確保する。必要に応じて、表示制御部４５４を経由して液晶ディスプレイ等の表示装置４５６に相手の情報を表示する。通信回線が確保されると相手の声は、Ｄ／Ａ４０４を介してスピーカ４０２から出力され、ユーザの声は、マイク４０６、Ａ／Ｄ４０８、通信制御部４００を介して相手側に伝えられる。
【００５２】
次に、移動体装置８２０が１セグメント放送の番組再生機能を実行する際の構成を説明する。アンテナ４１８は、図示しない放送装置８１０によって放送された番組を受信する。１セグチューナ４２０は、アンテナ４１８において受信した番組のうち、ユーザによって指示されたチャンネルの番組を抽出する。ここで、ユーザによる指示は、入力インターフェイス４６０を介してなされるものとする。伝送路復号部４２２は、１セグチューナ４２０において抽出した番組を復号することによって、Ｈ．２６４、ＭＰＥＧ２ＡＡＣによって符号化された映像音声データ、つまり前述のＴＳストリームを生成する。ＴＳ分離／選択部４２４は、ＴＳストリームを映像データと音声データに分離するとともに、再生に必要なデータを選択する。
【００５３】
ＭＰＥＧ−ＴＳデコーダ４２６は、ＴＳ分離／選択部４２４から映像データ等を受けつけ、復号することによって、受信した番組を再生する。さらに、ＭＰＥＧ−ＴＳデコーダ４２６において再生された番組は、Ｄ／Ａ４２８、表示制御部４５４を経由して、表示装置４５６に表示される。図１２の移動体装置８２０によるリジュームポイントおよびリジュームポイント情報の生成は、図３の移動体装置８２０での生成と同様になされる。ここでは、システムコントローラ４５２がリジュームポイント情報等を生成し、フラッシュメモリ４５８は、生成されたリジュームポイント情報等を記憶する。
【００５４】
図１３は、本発明の変形例に係るビデオレコーダ８３０の構成を示す。図１３のビデオレコーダ８３０は、図５のビデオレコーダ８３０と同様の構成を有する。なお、図５のビデオレコーダ８３０におけるリムーバブルＨＤＤ挿入口１１６、リムーバブルＨＤＤユニット１８０は、図１３の赤外線受信部２３０に変更される。
【００５５】
このようなビデオレコーダ８３０は、以下のように番組再生処理を実行する。図示しない赤外線送信部４５０は、赤外線受信部２３０に向けてリジュームポイント情報を送信する。リジュームデータ獲得部２５０は、赤外線受信部２３０からリジュームポイント情報を獲得する。番組データファイル検索・獲得部２５２は、リジュームデータ獲得部２５０において獲得されたリジュームポイント情報をもとに、内蔵ＨＤＤ２１４内に記録された番組を検索し、獲得する。リジュームポイントサーチ部２５４は、獲得した番組ファイルの頭だしを実行する。ＭＰＥＧ−ＴＳデコーダ２０６は、頭出ししたタイミングから再生を開始する。
【００５６】
本発明の実施例によれば、放送された番組を再生しながら、当該番組と同一の番組を録画したビデオレコーダにおいて番組の再生を開始する際のポイントを生成し、生成したポイントを出力するので、視聴していた番組の続きをビデオレコーダにて再生できる。また、録画した番組と同一の番組を再生した移動体装置において生成されたポイントを受けつけるので、移動体装置において視聴していた番組の続きを再生できる。現在放送中の番組に対してユーザが自由にリジュームポイントを設定することができ、リジュームポイントを設定した機器以外でリジュームポイントを使用できる。放送中の番組の視聴という観点から、より画質の高い機器へ移行できる。
【００５７】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５８】
本発明の実施例において、番組データファイルが内蔵ＨＤＤ１１４あるいは内蔵ＨＤＤ２１４に記録されていることが前提とされている。しかしながらこれに限らず例えば、リジュームデータ獲得部１５０において受けつけたリジュームポイントに対応した番組が内蔵ＨＤＤ１１４あるいは内蔵ＨＤＤ２１４に録画されていない場合に、ＭＰＥＧ−ＴＳデコーダ１０６は、当該番組を放送したチャンネルを再生の対象にしてもよい。本変形例によれば、リジュームポイントに対応した番組が録画されていない場合であっても、何らかの番組を再生できる。あるいは、インターネットを介して番組データがダウンロードできる環境であれば、データをダウンロードしてリジュームポイントから再生してもよい。本変形例によれば、リジュームポイントからダウンロードすることによりダウンロードのデータ量が削減できる。
【００５９】
本発明の実施例において、ビデオレコーダ８３０は、図１０のごとく、番組の録画終了後に、タイムサーチファイルの作成、番組管理ファイルの更新を実行している。しかしながらこれに限らず例えば、番組録画中であってもリジューム再生が可能になるように、ビデオレコーダ８３０は、録画開始時に番組管理ファイルの更新を実行し、番組録画中にタイムサーチファイルを定期的に更新してもよい。なお、ビデオレコーダ８３０は、番組再生の際、例えば図１１において、録画中の番組も選択可能に構成される。本変形例によれば、リジューム再生できる番組を増加できる。
【図面の簡単な説明】
【００６０】
【図１】本発明の実施例に係る番組再生システムの構成を示す図である。
【図２】図１の番組再生システムの番組再生の手順を示すシーケンス図である。
【図３】図２の移動体装置の構成を示す図である。
【図４】図３のシステムコントローラにおいて生成されるリジュームポイント情報のデータ構造を示す図である。
【図５】図２のビデオレコーダの構成を示す図である。
【図６】図５の内蔵ＨＤＤにおけるディレクトリ／ファイルのデータ構造を示す図である。
【図７】図６の録画番組管理ファイルのデータ構造を示す図である。
【図８】図６の第１番組ファイルのタイムサーチファイルのデータ構造を示す図である。
【図９】図３の移動体装置におけるリジュームポイントの設定手順を示すフローチャートである。
【図１０】図５のビデオレコーダにおける番組録画手順を示すフローチャートである。
【図１１】図５のビデオレコーダにおける番組再生手順を示すフローチャートである。
【図１２】本発明の変形例に係る移動体装置の構成を示す図である。
【図１３】本発明の変形例に係るビデオレコーダの構成を示す図である。
【符号の説明】
【００６１】
１０２  システムコントローラ、  １０４  タイマ、  １０６  ＭＰＥＧ−ＴＳデコーダ、  １０８  Ｄ／Ａ、  １１０  表示装置、  １１２  バッファメモリ、  １１４  内蔵ＨＤＤ、  １１６  リムーバブルＨＤＤ挿入口、  １１８  アンテナ、  １２０  チューナ、  １２２  伝送路復号部、  １２４  ＴＳ分離／選択部、  １２６  番組情報検出部、  １５０  リジュームデータ獲得部、  １５２  番組データファイル検索・獲得部、  １５４  リジュームポイントサーチ部、  １８０  リムーバブルＨＤＤユニット、  ３１８  車載アンテナ、  ３２０  チューナ、  ３２２  伝送路復号部、  ３２４  ＴＳ分離／選択部、  ３２６  ＭＰＥＧ−ＴＳデコーダ、  ３２８  Ｄ／Ａ、  ３３０  番組情報検出部、  ３３２  タイマ、  ３５２  システムコントローラ、  ３５４  表示制御部、  ３５６  表示装置、  ３５８  リムーバブルＨＤＤ挿入口。
【図１】
2008131401.tif 000003
【図２】
2008131401.tif 000004
【図３】
2008131401.tif 000005
【図４】
2008131401.tif 000006
【図５】
2008131401.tif 000007
【図６】
2008131401.tif 000008
【図７】
2008131401.tif 000009
【図８】
2008131401.tif 000010
【図９】
2008131401.tif 000011
【図１０】
2008131401.tif 000012
【図１１】
2008131401.tif 000013
【図１２】
2008131401.tif 000014
【図１３】
2008131401.tif 000015